(57)【要約】細長いモジュール式ポール構造のモジュール式ポールを構築する方法が開示される。該方法の第１のステップは、中空の先細り状のポールセクションモジュールを提供することを含み、各モジュールは、第１の開いた端部と、対向する第２の開いた端部とを有する。該第２の端部の断面積は、該第１の断面積よりも小さい。モジュールは、第１のモジュールの該第２の端部を第２のモジュールの該第１の端部に噛み合わせることによって、選択された長さの細長いモジュール式ポール構造を形成するように積み重ねられる。異なる構造特性を有するモジュールを選択的に組み合わせることによって、異なる構造特性を有するポールが構築され得るように、該第１および第２のモジュールは、異なる構造特性を有し得る。
2008530395.tif 000002
【特許請求の範囲】
【請求項１】
モジュール式ポールを構築するための方法であって、
２つまたは３つ以上の中空の先細りのポールセクションモジュールを提供するステップであって、各モジュールは第１の開いた端部と、対向する第２の開いた端部とを有し、該第２の端部の断面積は該第１の断面積よりも小さい、ステップと、
第１のモジュールの該第２の端部を第２のモジュールの該第１の端部に噛み合わせることによって、選択された長さの細長いモジュール式ポール構造を形成するように、該２つまたは３つ以上のモジュールを積み重ねるステップと
を包含し、
異なる構造特性を有するモジュールを選択的に組み合わせることによって、所望の構造特性を有するポールが構築され得るように、第１および第２のモジュールは異なる構造特性を有する、方法。
【請求項２】
前記異なる構造特性は、曲げ強度、圧縮強度、座屈への耐性、剪断強度、外殻耐久性、およびそれらの混合からなるグループから選択される、請求項１に記載の方法。
【請求項３】
前記提供するステップにおいて、前記第２のモジュールの少なくとも一部分が前記第１のモジュールの中に入れ子になるように、該第１のモジュールは、該第２のモジュールの外部寸法よりも大きな内部寸法を有する、請求項１に記載の方法。
【請求項４】
前記第１のモジュールは、前記第２のモジュールよりも大きな圧縮強度を有する、請求項３に記載の方法。
【請求項５】
前記提供するステップにおいて、前記２つまたは３つ以上の先細り状のポールセクションモジュールは、断面が管状である、請求項１に記載の方法。
【請求項６】
前記積み重ねるステップの後に、前記細長いモジュール式ポール構造の一方または両方の端部にキャップを配置するさらなるステップがある、請求項１に記載の方法。
【請求項７】
前記細長いモジュール式ポール構造は、ベースモジュールと、先端モジュールと、それらの間にオプションとして１つまたは２つ以上のモジュールとを有する直立構造であり、該ベースモジュールの前記第１の端部は表面に隣接し、前記方法は、該細長いモジュール式ポール構造の重量を該表面で支持して分散するために、該ベースモジュールの該第１の端部に支持部材を配置することをさらに包含する、請求項１に記載の方法。
【請求項８】
前記支持部材は、それを通る開口部を有する、請求項７に記載の方法。
【請求項９】
前記２つまたは３つ以上の中空の先細りのポールセクションモジュールは、複合材料を含む、請求項１に記載の方法。
【請求項１０】
前記２つまたは３つ以上の中空の先細りのポールセクションモジュールは、フィラメントワインディングされたポリウレタン複合材料を含む、請求項１に記載の方法。
【請求項１１】
請求項１に記載される方法に従って構築されるモジュール式ポールアセンブリ。
【請求項１２】
噛み合わされた中空の先細り状のモジュールのアセンブリを含む細長いモジュール式ポール構造であって、各モジュールは第１の端部と、対向する第２の端部とを有し、該第２の端部の断面積は該第１の端部の断面積よりも小さく、それによって第１のモジュールの該第２の端部は第２のモジュールの該第１の端部と噛み合わされ、該第１および第２のモジュールは異なる構造特性を有する、モジュール式ポール構造。
【請求項１３】
前記異なる構造特性は、曲げ強度、圧縮強度、座屈への耐性、剪断強度、外殻耐久性、およびそれらの混合からなるグループから選択される、請求項１２に記載の組み立てられたモジュールの構造。
【請求項１４】
前記伸びたモジュール式ポール構造の一方または両方の端部に配置されるキャップを含む、請求項１２に記載の組み立てられたモジュールの構造。
【請求項１５】
前記伸びたモジュール式ポール構造は、直立構造であり、ベースモジュールと、先端モジュールと、それらの間にオプションとして１つまたは２つ以上のモジュールとを有し、それによって該ベースモジュールの前記第１の端部は表面に隣接し、該細長いモジュール式ポール構造の重量を該表面で支持して分散するために、該ベースモジュールの該第１の端部に支持部材が配置される、請求項１２に記載の組み立てられたモジュールの構造。
【請求項１６】
前記支持部材は、それを通る開口部を有する、請求項１５に記載の組み立てられたモジュールの構造。
【請求項１７】
前記第１および第２のモジュールは、複合材料を含む、請求項１２に記載の組み立てられたモジュールの構造。
【請求項１８】
前記複合材料は、フィラメントワインディングされた複合材料を含む、請求項１７に記載の組み立てられたモジュールの構造。
【請求項１９】
前記第１および第２のモジュールは、管状である、請求項１２に記載の組み立てられたモジュールの構造。
【請求項２０】
細長いモジュール式ポール構造の構築に使用される、少なくとも第１および第２の中空の先細り状のモジュールを備えたキットであって、各モジュールは第１の端部と、対向する第２の端部とを有し、該第２の端部の断面積は該第１の端部の断面積よりも小さく、該第１のモジュールの該第２の端部は該第２のモジュールの該第１の端部に噛み合うように構成され、該第２のモジュールの少なくとも一部分が該第１のモジュールの中に入れ子になるように、該第１のモジュールは該第２のモジュールの外部寸法よりも大きな内部寸法を有する、キット。
【請求項２１】
前記第１および第２のモジュールは、曲げ強度、圧縮強度、座屈への耐性、剪断強度、外殻耐久性、およびそれらの混合からなるグループから選択される異なる構造特性を有する、請求項２０に記載のキット。
【請求項２２】
前記第１のモジュールは、前記第２のモジュールよりも大きな圧縮強度を有する、請求項２０に記載のキット。
【請求項２３】
前記第１および第２のモジュールは、管状である、請求項２０に記載のキット。
【請求項２４】
前記第１または第２のモジュールの前記第１または第２の端部に噛み合うように構成されたキャップを含む、請求項２０に記載のキット。
【請求項２５】
前記第１のモジュールの前記第１の端部に噛み合うように構成された支持部材を含む、請求項２０に記載のキット。
【請求項２６】
前記支持部材は、それを通る開口部を有する、請求項２５に記載のキット。
【請求項２７】
前記第１および第２のモジュールは、複合材料を含む、請求項２０に記載のキット。
【請求項２８】
前記複合材料は、フィラメントワインディングされたポリウレタン複合材料を含む、請求項２７に記載のキット。
【請求項２９】
細長いモジュール式ポール構造を構築するために使用される、中空の先細り状のモジュールであって、該モジュールは、複合材料を含み、第１の端部と、対向する第２の端部とを有し、該第２の端部の断面積は該第１の端部の断面積よりも小さい、中空の先細り状のモジュール。
【請求項３０】
前記複合材料は、フィラメントワインディングされたポリウレタン複合材料である、請求項２９に記載のモジュール。
【請求項３１】
細長いモジュール式ポール構造を組み立てるシステムであって、該システムは、繊維補強された複合物から作られる中空の先細り状の管状のポールセクションモジュールを備え、該モジュールは、開いたボトム端部と比較的狭いトップ端部とを有し、上にあるモジュールの該ボトム端部を下にあるモジュールの該トップ端部に噛み合わせることによって、選択された高さの垂直構造を形成するように積み重ねられ、異なる特性を有するモジュールを選択的に組み合わせることによって、曲げ強度、圧縮強度、および剪断強度の所望の特性を有するポールを構築することができるように、モジュールの一部は、曲げ強度、圧縮強度、または剪断強度のうちの少なくとも１つに関連する異なる特性を有する、システム。
【発明の詳細な説明】
【技術分野】
【０００１】
本発明は、モジュール式ポールを構築する方法および上記方法の教示に従って構築されるモジュール式ポールアセンブリに関する。
【背景技術】
【０００２】
ポール構造は、幹線道路の照明器具の支持、および電話、ケーブル、電力のための電柱などの種々の目的のために使用されるが、それらに限定されない。これらのポール構造は、一般的に木材、鋼、コンクリートで作られる。これらのポール構造の使用は広範囲であるが、ワンピース構造である傾向があるために限定され、したがって、高さ、強度、および他の特性が固定される。
【０００３】
所与の長さのポールは、トラック、鉄道、または貨物輸送機さえもによる輸送を容易にするために、および現場における組み立てを補助するために、複数のセクションで設計され得る。このことは、鋼および特に一部のコンクリートのポールの構造に共通である。特許文献１は、少なくとも２つのセクションのまっすぐなパイプを含むマルチセクションの電柱（ｕｔｉｌｉｔｙ  ｐｏｌｅ）を開示しており、それらはスリップジョイント接続によって接合および接続される。スリップジョイントは、２つの噛み合う円錐形のセクションからなっており、１つがポールの各セクションに接続される。しかし、このアプローチは輸送および組み立ての役に立ち得るが、高さ、強度、剛性、耐久性および他の性能考慮などの、構造内部の他の問題には対処していない。
【特許文献１】米国特許第６，３９９，８８１号明細書
【発明の開示】
【発明が解決しようとする課題】
【０００４】
（本発明の概要）
本発明は、モジュール式ポールを構築する方法、および該方法の教示に従って構築されるモジュール式ポールアセンブリに関する。
【０００５】
本発明の目的は、改良されたモジュール式ポールアセンブリ、および該ポールアセンブリを構築する方法を提供することである。
【課題を解決するための手段】
【０００６】
本発明によると、モジュール式ポールを構築する方法が提供され、該方法は、
２つまたは３つ以上の中空の先細りのポールセクションモジュールを提供するステップであって、各モジュールは第１の開いた端部と、対向する第２の開いた端部とを有し、該第２の端部の断面積は該第１の断面積よりも小さい、ステップと、
第１のモジュールの該第２の端部を第２のモジュールの該第１の端部に噛み合わせることによって、選択された長さの細長いモジュール式ポール構造を形成するように、該２つまたは３つ以上のモジュールを積み重ねるステップと
を包含し、
異なる構造特性を有するモジュールを選択的に組み合わせることによって、所望の構造特性を有するポールが構築され得るように、第１および第２のモジュールは異なる構造特性を有する。
【０００７】
本発明は、上記で定義されたモジュール式ポールを構築する方法に関し、上記異なる構造特性は、曲げ強度、圧縮強度、座屈への耐性、剪断強度、外殻耐久性、およびそれらの混合からなるグループから選択される。たとえば、上記第１のモジュールは、上記第２のモジュールよりも大きな圧縮強度を有し得る。
【０００８】
本発明は、上記で定義されたモジュール式ポールを構築する方法に関し、上記提供するステップにおいて、上記第１および第２のモジュールは入れ子にされ、その結果、該第２のモジュールの少なくとも部分が該第１のモジュールの中に入れ子になる。該第２のモジュールの全体が、該第１のモジュールの中に入れ子になり得る。
【０００９】
本発明は、上記で定義されたモジュール式ポールを構築する方法に関し、上記提供するステップにおいて、上記２つまたは３つ以上の先細り状のポールセクションモジュールは、断面が管状である。
【００１０】
本発明は、上記で定義されたモジュール式ポールを構築する方法に関し、上記積み重ねるステップの後に、上記細長いモジュール式ポール構造の一方または両方の端部にキャップを配置するさらなるステップがあり、それによってゴミ（ｄｅｂｒｉｓ）または水分がポールの中に入ることを抑制する。
【００１１】
本発明は、上記で定義されたモジュール式ポールを構築する方法に関し、上記細長いモジュール式ポール構造は、ベースモジュールと、先端モジュールと、それらの間にオプションとして１つまたは２つ以上のモジュールとを有する直立構造であり、該ベースモジュールの上記第１の端部は表面に隣接する。上記方法は、該細長いモジュール式ポール構造の重量を該表面で支持して分散するために、該ベースモジュールの該第１の端部に支持部材を配置することをさらに包含する。該支持部材は、それを通る開口部を有し得、その結果、該直立の伸びたモジュール式ポール構造の中の液体が該開口部を通して排水され得る。
【００１２】
本発明は、上記で定義されたモジュール式ポールを構築する方法に関し、上記２つまたは３つ以上の中空の先細り状のポールセクションモジュールは、複合材料からなる。該複合材料は、フィラメントワインディングされたポリウレタン複合材料であり得る。
【００１３】
本発明は、少なくとも第１および第２の中空の先細り状のモジュールを備える、細長いモジュール式ポール構造に関し、各モジュールは第１の端部と、対向する第２の端部とを有し、該第２の端部の断面積は該第１の端部の断面積よりも小さく、第１のモジュールの該第２の端部は第２のモジュールの該第１の端部に噛み合わされ、該第１および第２のモジュールは異なる構造特性を有する。所望の構造特性を有するポールは、異なる構造特性を有するモジュールを選択的に組み合わせることによって構築され得る。該異なる構造特性は、曲げ強度、圧縮強度、座屈への耐性、剪断強度、外殻耐久性、およびそれらの混合からなるグループから選択され得る。
【００１４】
本発明は、上記で定義された細長いモジュール式ポール構造に関し、上記第１のモジュールの上記第２の端部は、上記第２のモジュールの上記第１の端部の中に噛み合うように受け入れられる。
【００１５】
本発明は、上記で定義された細長いモジュール式ポール構造に関し、上記第１のモジュールは、上記第２のモジュールの外部寸法よりも大きな内部寸法を有し、その結果、該第２のモジュールの少なくとも一部分が該第１のモジュールの中に入れ子になる。該第２のモジュールの全体が該第１のモジュールの中に入れ子になり得、該第１のモジュールは、該第２のモジュールよりも大きな圧縮強度を有し得る。
【００１６】
本発明は、上記で定義された細長いモジュール式ポール構造に関し、該伸びたモジュール式ポール構造の一方または両方の端部に配置されるキャップを含み、それによってゴミまたは水分がポール構造の中に入ることを抑制する。
【００１７】
本発明は、上記で定義された細長いモジュール式ポール構造に関し、該伸びたモジュール式ポール構造は、ベースモジュールと、先端モジュールと、それらの間にオプションとして１つまたは２つ以上のモジュールとを有する、直立構造である。該ベースモジュールの第１の端部は表面に隣接し得、該細長いモジュール式ポール構造の重量を該表面で支えて分散するために、支持部材が該ベースモジュールの第１の端部に配置され得る。該支持部材は、それを通る開口部を有し得、その結果、該直立の伸びたモジュール式ポール構造の中の液体は、該開口部を通して排水され得る。
【００１８】
本発明は、上記で定義された細長いモジュール式ポール構造に関し、上記第１および第２の中空の先細り状のモジュールは、管状である。
【００１９】
本発明は、上記で定義された細長いモジュール式ポール構造に関し、上記第１および第２の中空の先細り状のモジュールは、複合材料を含む。該複合材料は、フィラメントワインディングされたポリウレタン複合材料を含み得る。
【００２０】
本発明は、少なくとも第１および第２の中空の先細り状のモジュールを備える、細長い複合モジュール式ポール構造に関し、各モジュールは、複合材料を含み、第１の端部と、対向する第２の端部とを有し、該第２の端部の断面積は該第１の端部の断面積よりも小さく、第１のモジュールの該第２の端部は第２のモジュールの該第１の端部に噛み合わせられる。
【００２１】
本発明は、上記で定義された細長い複合モジュール式ポール構造に関し、上記第１のモジュールは、上記第２のモジュールの外部寸法よりも大きな内部寸法を有し、その結果、該第２のモジュールの少なくとも一部分が該第１のモジュールの中に入れ子になる。該第２のモジュールの全体が該第１のモジュールの中に入れ子になり得、該第１のモジュールは、該第２のモジュールよりも大きな圧縮強度を有し得る。
【００２２】
本発明は、上記で定義された細長い複合モジュール式ポール構造に関し、上記第１および第２のモジュールは、異なる構造特性を有し、その結果、異なる構造特性を有するモジュールを選択的に組み合わせることによって、所望の構造特性を有するポールが構築され得る。該異なる構造特性は、曲げ強度、圧縮強度、座屈への耐性、剪断強度、外殻耐久性、およびそれらの混合からなるグループから選択され得る。
【００２３】
本発明は、上記で定義された細長い複合モジュール式ポール構造に関し、該伸びたモジュール式ポール構造の一方または両方の端部に配置されるキャップを含み、それによってゴミまたは水分がポールの中に入ることを抑制する。
【００２４】
本発明は、上記で定義された細長い複合モジュール式ポール構造に関し、該伸びたモジュール式ポール構造は、ベースモジュールと、先端モジュールと、それらの間にオプションとして１つまたは２つ以上のモジュールとを有する、直立構造である。該ベースモジュールの第１の端部は表面に隣接し、該細長いモジュール式ポール構造の重量を該表面で支持して分散するために、支持部材が該ベースモジュールの第１の端部に配置され得る。該支持部材は、それを通る開口部を有し得、その結果、直立の伸びたモジュール式ポール構造の中の液体は、該開口部を通して排水され得る。
【００２５】
本発明は、上記で定義された細長い複合モジュール式ポール構造に関し、上記第１および第２の中空の先細り状のモジュールは、管状である。
【００２６】
本発明は、上記で定義された細長い複合モジュール式ポール構造に関し、上記複合材料は、フィラメントワインディングされたポリウレタン複合材料を含む。
【００２７】
本発明はさらに、細長いモジュール式ポール構造の構築に使用される中空の先細り状のモジュールに関し、該モジュールは、複合材料を含み、第１の端部と、対向する第２の端部とを有し、該第２の端部の断面積は該第１の端部の断面積よりも小さい。該複合材料は、フィラメントワインディングされたポリウレタン複合材料を含み得る。
【００２８】
本発明は、少なくとも第１および第２の中空の先細り状のモジュールを含む、細長いモジュール式ポール構造に関し、各モジュールは第１の端部と、対向する第２の端部とを有し、該第２の端部の断面積は該第１の端部の断面積よりも小さく、該第１のモジュールの該第２の端部は該第２のモジュールの該第１の端部に噛み合わせられ、該第１のモジュールは該第２のモジュールの外部寸法よりも大きな内部寸法を有し、その結果、モジュールの輸送を容易にするために、該第２のモジュールの少なくとも一部分が該第１のモジュールの中に入れ子にされ得る。該第２のモジュールの全体は、該第１のモジュールの中に入れ子になり得、該第１のモジュールは、該第２のモジュールよりも大きな圧縮強度を有し得る。
【００２９】
本発明は、細長いモジュール式ポール構造の構築に使用される、少なくとも第１および第２の中空の先細り状のモジュールを含むキットに関し、各モジュールは第１の端部と、対向する第２の端部とを有し、該第２の端部の断面積は該第１の端部の断面積よりも小さく、該第１のモジュールの該第２の端部は該第２のモジュールの該第１の端部と噛み合うように構成され、該第１のモジュールは該第２のモジュールの外部寸法よりも大きな内部寸法を有し、その結果、該第２のモジュールの少なくとも一部分が該第１のモジュールの中に入れ子になる。
【００３０】
本発明は、上記で定義されたキットに関し、上記第２のモジュールの全体は、上記第１のモジュールの中に入れ子になる。該第１のモジュールは、該第２のモジュールよりも大きな圧縮強度を有し得る。
【００３１】
本発明は、上記で定義されたキットに関し、上記第１のモジュールの上記第２の端部は、上記第２のモジュールの上記第１の端部の中に噛み合うように受け入れられるように構成される。
【００３２】
本発明は、上記で定義されたキットに関し、上記第１および第２のモジュールは、曲げ強度、圧縮強度、座屈への耐性、剪断強度、外殻耐久性、およびそれらの混合からなるグループから選択される異なる構造特性を有する。
【００３３】
本発明は、上記で定義されたキットに関し、上記第１のモジュールは、上記第２のモジュールよりも大きな圧縮強度を有する。
【００３４】
本発明は、上記で定義されたキットに関し、上記第１および第２のモジュールは、管状である。
【００３５】
本発明は、上記で定義されたキットに関し、上記第１または第２のモジュールの上記第１または第２の端部と噛み合うように構成されたキャップを含むことによって、ゴミまたは水分が入ることを抑制する。
【００３６】
本発明は、上記で定義されたキットに関し、上記第１および第２のモジュールは、複合材料を含む。該複合材料は、フィラメントワインディングされたポリウレタン複合材料を含み得る。
【００３７】
本発明は、細長いモジュール式ポール構造の構築に使用される、少なくとも第１および第２の中空の先細り状のモジュールを含むキットに関し、各モジュールは、第１の端部と、対向する第２の端部とを有し、該第２の端部の断面積は該第１の端部の断面積よりも小さく、該第１のモジュールの該第２の端部は該第２のモジュールの該第１の端部に噛み合うように構成され、該第１および第２のモジュールは異なる構造特性を有する。該異なる構造特性は、曲げ強度、圧縮強度、座屈への耐性、剪断強度、外殻耐久性、およびそれらの混合からなるグループから選択され得る。
【００３８】
本発明はさらに、細長いモジュール式ポール構造を組み立てるシステムに関し、該システムは、繊維補強された複合物から作られる中空の先細り状の管状のポールセクションモジュールを備え、該モジュールは、開いたボトム端部と比較的狭いトップ端部とを有し、上にあるモジュールのボトム端部を下にあるモジュールのトップ端部に噛み合わせることによって、選択された高さの垂直構造を形成するように積み重ねられ、モジュールの一部は曲げ強度、圧縮強度、または剪断強度のうちの少なくとも１つに関連する異なる特性を有し、その結果、異なる特性を有するモジュールを選択的に組み合わせることによって、曲げ強度、圧縮強度、および剪断強度の所望の特性を有するポールが構築され得る。
【００３９】
各モジュールの一方の端部がモジュールの他方の端部よりも大きな断面積を有するように先細り状になった中空のモジュールを使用することによって、細長いモジュール式ポール構造が積み重ねモジュールによって組み立てられることが可能になり、それによって１つのモジュールのより大きな端部が第２のモジュールのより小さな端部に噛み合う。モジュールは、異なる構造特性を有するように特に設計され得、その結果、モジュールが選択的に組み合わせられ得ることによって、多数の異なる構造特性の組み合わせを有するポールを提供し、したがって、各条件のために別々のポールまたは構造を要求することなしに、異なる性能基準を満たさなければならないという問題に対し、モジュールによる解決を提供する。
【００４０】
１つが他の中に入れ子になり得るように、成形され得るモジュールを提供することによって、細長いモジュール式ポール構造の組み立てに要求されるモジュールの容易な保管および輸送が可能になる。さらに、複合材料、特にフィラメントワインディングされたポリウレタン複合材料から作られるモジュールを使用することによって、細長いモジュール式ポール構造は、軽量で、強く、耐久性を有するようになり、複合材料の補強材および／または樹脂成分のタイプ、量、または構成を変化させることによって、モジュールの構造特性が容易に変化させられ得る。
【００４１】
本発明のこの概要は、本発明のすべての特徴を必ずしも説明するものではない。
【発明を実施するための最良の形態】
【００４２】
本発明のこれらのおよび他の特徴は、以下の説明からより明らかになり、説明において添付の図面への参照がなされる。図面は、説明の目的のみのためであり、決して本発明の範囲を特定の実施形態または示される実施形態に限定することを意図されていない。
【００４３】
（詳細な説明）
以下は、好ましい実施形態の説明である。
【００４４】
本発明は、２つまたは３つ以上の中空の先細り状のモジュールを備える、細長いモジュール式ポール構造またはモジュール式ポールアセンブリまたはシステムに関する。各モジュールは、第１の端部と、対向する第２の端部とを有し、第２の端部の断面積は、第１の端部の断面積よりも小さい。１つのモジュールの第２の端部は、第２のモジュールの第１の端部に噛み合わせられることによって、ポール構造を形成する。
【００４５】
異なる構造特性を有するモジュールを選択的に組み合わせることによって、所望の構造特性を有するポールが構築され得るように、モジュールのうちの少なくとも２つは、異なる構造特性を有し得る。モジュールは、異なる曲げ強度、圧縮強度、座屈への耐性、剪断強度、外殻耐久性、または異なる構造特性の混合を有し得る。構造の高さもまた、単にスタックにモジュールを追加したりスタックからモジュールを取り除いたりすることによって変化させられ得る。このようにして、システムが提供されることによって、一連のモジュールは、モジュール式ポール構造を組み立てる可能性を有し、該モジュール式ポール構造は、任意の所望の高さについて、強度のみならず剛性または他の特性が異なり得る。
【００４６】
モジュールは、２つ以上のモジュールが他のモジュールのトップに積み重ねられるように、所定の長さにわたって、１つのモジュールのトップまたは第２の端部が、別のモジュールのベースまたは第１の端部の中に滑り込むかまたはその中に噛み合うように受け入れられるように、構成され得ることによって、細長いモジュール式ポール構造またはモジュールポールアセンブリを提供する。代替的には、モジュールは、１つのモジュールのベースまたは第１の端部が、別のモジュールのトップまたは第２の端部の中に滑り込むかまたはその中に噛み合うように受け入れられるように、構成され得る。これらのジョイントエリアのオーバーラップは、１つのモジュールから次のモジュールへと適切な荷重伝達が生じるように、予め決定され得る。このオーバーラップは、構造全体を通して変化し得、曲げモーメントの増加するレベルに対して反応するときに、十分な荷重伝達を維持するために、モジュールが下に行くほど一般的に長くなる。
【００４７】
ジョイントは、たとえばプレスばめ接続、ボルト、金属バンディングなどの追加のファスナを使用することなく、ジョイントが十分な荷重伝達に影響するように、設計される。しかし、モジュールのスタックが、より通常の圧縮荷重（下方への力）または曲げ荷重ではなく、張力（上方への力）にさらされる状況においては、ファスナが使用されることがときどきあり得る。
【００４８】
モジュールが一緒に積み重ねられるときには、モジュールは、たとえば、側方の力、張力、および圧縮力（しかしそれらに限定されない）に対して、所定のレベルまで耐えることができる単一の構造として機能する。構造の高さまたは長さは、単にスタックにモジュールを追加したりスタックからモジュールを取り除いたりすることによって、変化させられ得る。構造の総合強度は、スタックのトップからより高いモジュールを単に取り除くことによって、長さを変えることなく変化させられ得、より大きくてより強いモジュールをスタックのベースに追加することによって、長さを置き換えて、変化させられ得る。このようにして、構造は、任意の所望の高さまたは長さについて、強度特性のみならず剛性特性を変化させるように、設計され得る。したがって、構造の所望の特性は、異なる特性を有するモジュールを選択的に組み合わせることによって構築され得る。たとえば、モジュールは異なる強度特性を有し得、たとえば、モジュールは、約３００〜約１１，５００ポンドまたはその間の任意の量の水平荷重強度、あるいは約１，５００〜約５２，０００Ｎｅｗｔｏｎまたはその間の任意の量の水平荷重強度を有し得る。モジュールは、表１に示されるような、ＡＮＳＩ  Ｏ５．１−２００２の１、２、３、４、５、６、７、８、９、１０、Ｈ１、Ｈ２、Ｈ３、Ｈ４、Ｈ５、およびＨ６からなるグループから選択される強度クラスを有し得る。これらの強度特性を有するモジュールを使用することによって、結果として得られる細長いモジュール式のポール構造またはアセンブリは、約３００〜約１１，５００ポンドまたはその間の任意の量の水平荷重強度、あるいは約１，５００〜約５２，０００Ｎｅｗｔｏｎまたはその間の任意の量の水平荷重強度を有し得る。細長いモジュール式のポール構造またはアセンブリは、表１に示されるような、ＡＮＳＩ  Ｏ５．１−２００２の１、２、３、４、５、６、７、８、９、１０、Ｈ１、Ｈ２、Ｈ３、Ｈ４、Ｈ５、およびＨ６からなるグループから選択される強度クラスを有し得る。
【００４９】
本明細書中に記載されるような直立モジュール式ポールシステムについて、一時的および永久的の両方の多数の使用法が可能である。たとえば、構造は、電柱、セキュリティカメラ用の支持ポール、幹線道路の照明灯用の支持、スポーツ場、野球場、テニスコートのレクリエーション照明、および駐車場や街灯などの他の戸外照明のための支持構造として使用され得るが、これらに限定されない。
【００５０】
モジュール式ポールアセンブリは、直立構造である必要はなく、たとえば、モジュールは、一緒に噛み合わせられ得ることによって、地面または水面の上または下のいずれかで液体または気体などを運ぶために使用される中空のパイプまたはシャフトを形成する。他の中に１つが入れ子になるように構成され得る、強くて軽量のモジュールを使用することは、パイプまたはシャフトを構築する現場へモジュールを容易に輸送したり現場でモジュールを容易に保管したりすることを可能にする。パイプまたはシャフトは、モジュールを一緒に噛み合わせることによって、現場で容易に構築され得る。このことは、油田システム、および水、気体、または下水の輸送システムなどの遠隔地において、特に有利である。
【００５１】
一実施形態において、第１のまたはより大きなモジュールの内部寸法は、第２またはより小さなモジュールの外部寸法よりも大きく、その結果、第２のモジュールの少なくとも一部分が第１のモジュールの中に入れ子になり得る。好ましくは、第２のモジュール全体が第１のモジュールの中に入れ子になり（ｂｅｓｔ）得る（たとえば図７）。このようにして、特定のモジュール式ポール構造を構成する２つ以上のモジュールは、他の中に１つが入れ子にさせられ得る。入れ子にさせられたモジュールは、小型と省スペースのために、処理、輸送、および保管の利点を提供する。
【００５２】
各モジュールは、中空の均一に先細り状の管状のポールセクションであり得（たとえば図８の５０）、開いたベース（または第１）の端部（たとえば図８の５２）と、対向する先端（または第２）の端部（たとえば図８の５４）とを有し、先端の端部の直径はベースの端部の直径よりも小さい。モジュールは、管状の形状に限定されず、他の形状が本発明の範囲内にあり、各モジュールの第２の端部の断面または断面積が、第１の端部の断面または断面積よりも小さいとすれば、たとえば楕円形、多角形、または非円形の断面を有する他の形状（しかしこれらに限定されない）、たとえば正方形、三角形、または長方形など（しかしこれらに限定されない）である。
【００５３】
図１〜図５に図示されるように、モジュールは積み重ねられ得ることによって、選択された高さの垂直構造を形成する。図８を参照して、上にあるモジュール５０Ａのボトム端部５２を、下にあるモジュール５０Ｂのトップの端部５４に噛み合わせることによって、このことは達成される。結果として得られる垂直構造は、地面などの表面に隣接するかまたは埋め込まれて位置するベースモジュールと、表面または地面から間隔を空けられて、オプションとして１つまたは２つ以上のモジュールが間にある、対向するチップモジュールとを有する。支持部材またはボトムプラグ（たとえば図８の６２）は、ベースモジュールの第１の端部に位置し得ることによって、細長いモジュール式ポール構造の重量をその表面で支持して分散し、それによって基盤の安定性を向上させ、中空のポール状構造が圧縮加重の下で地面に押し下げられることを防止する。支持部材は、それを通る開口部を有し得、その結果、直立に伸びたモジュール式ポール構造の中の液体は、開口部を通して排水され得る。
【００５４】
キャップは、モジュール式のポール、パイプ、またはシャフト構造の一方または両方の端部に嵌合するかまたは噛み合わせられるように提供され得、それによって、ゴミまたは水分が構造の中に入ることを抑制する。キャップは、たとえばプレスばめ接続によって、しかしそれに限定されず、モジュール式構造の端部に噛み合わせられるように構成され得る。代替的に、キャップをあるべき場所に位置づけるために、たとえばボルト、ねじ、バンディング、ばね、ストラップなどのファスナが提供され得る。
【００５５】
モジュールが、１つが他の中に入れ子になるように構成されるとき（たとえば図７）、キャップは、最大のまたは第１のモジュールの第１の端部に噛み合わさるように構成され得る。最大のモジュールのベースまたは第１の端部にキャップを提供することは、モジュールの輸送および保管の間に、入れ子にされたモジュールの中にゴミまたは水分が入ることを抑制する。上述のようなボトムプラグまたは支持部材は、モジュールが一緒に入れ子にされて、次に組み立ての際に細長い垂直のモジュール式ポール構造のベースを支持するために利用されるときに、この目的のために使用され得る。
【００５６】
一実施形態は、配線柱および送電柱として鋼および木材を伝統的に使用してきた電力公益事業業界において使用するための電柱を提供することである。このアプリケーションのために、ポールは、定義された高さのものでなければならず、指定された破壊強度と、通常は指定された荷重条件下での定義されたたわみとを有さなければならない。ポールは、地域にわたって電力線を運び、任意の地形と、風および氷の荷重などの影響に起因する構造的な力とを受け入れるように指定され得る。
【００５７】
電力公益事業業界は、一般的に２５フィート〜１５０フィートの長さのポールを使用する。これらのポールは、長さおよび強度要件が異なる。表１は、業界において使用されるＡＮＳＩ  Ｏ５．１−２００２規格の強度クラスの範囲内に入るためにポールが達成しなければならない強度または水平荷重を示す。ポールは、異なる構造的アプリケーションにおいて使用するために選択され得、そのアプリケーションの強度要件に依存する。
【００５８】
【表１】
2008530395.tif 000003
異なるポールサイズおよび異なるポール強度クラスの範囲が必要とされる場合には、必要なインベントリー（ｉｎｖｅｎｔｏｒｙ）の量は、これらの２つのパラメータの倍数（ｍｕｌｔｉｐｌｅ）である。絶対的な柔軟性が要求される状況においては、ポールの膨大なストックが必要とされる。このことは、公益事業会社が、嵐または他のそのようなできごとの後に電力線を修復するために緊急代替ポールを保守する場合に、一般的である。公益事業会社は、どの構造が損害を受けるかを予測し得ないので、すべての高さおよび分類のスペアポールを保たなければならない。
【００５９】
本発明の一実施形態において、複数のモジュールを有する一連のモジュールのキットが提供される。モジュールは、異なるサイズのものであり得、最大または第１のモジュールは、次に最も大きなまたは第２のモジュールの外部寸法よりも大きな内部寸法を有し、その結果、第２のモジュールの少なくとも一部分が、第１のモジュールの中に入れ子になる。好ましくは、第２のモジュールの全体が、第１のモジュールの中に入れ子になる（たとえば図７）。サイズが徐々に小さくなる追加のモジュールが提供され得ることによって、輸送および保管を容易にするためにモジュールを一緒に入れ子にすることを可能にする。代替的に、または追加的に、シリーズまたはキットにおけるモジュールの一部またはすべては、異なる構造特性、たとえば、異なる曲げ強度、圧縮強度、座屈への耐性、剪断強度、外殻耐久性、または異なる構造特性の混合を有し得るが、これらに限定されない。たとえば、より大きな（第１の）モジュールは、より小さな（第２の）モジュールよりも大きな圧縮強度を有し得、その結果、より小さな強度を有するモジュールが、より大きな強度のモジュールの中に入れ子になり、それによって、輸送および保管の間にモジュールを保護する。
【００６０】
キットは、モジュールポールアセンブリまたは構造を構築するために使用され得、それによって、モジュールは、第１または最大のモジュールの先端（第２の端部）が、第２のまたはより小さなモジュールのベース（第１の端部）の中に嵌合するかまたは噛み合うように受け入れられるように、構成され得る。代替的には、第２のまたはより小さなモジュールのベース（第１の端部）は、第２のまたは最大のモジュールの先端（第２の端部）の中に嵌合するかまたは噛み合うように受け入れられるように構成され得る。
【００６１】
本発明の一実施形態において、モジュールは複合材料から作られる。
【００６２】
「複合材料」という用語によって、たとえばポリエステル、エポキシ、ポリウレタン、またはビニルエステル系樹脂、またはそれらの混合（しかしそれらに限定されない）などの、ポリマーマトリックスまたは樹脂に埋め込まれる補強材からなる材料を意味する。マトリックスまたは樹脂は、補強材を保持することによって所望の形状を形成するが、補強材は、一般的にマトリックスの全体的な機械的特性を改善する。
【００６３】
「補強材」という用語によって、たとえば、繊維、粒子、フレーク、充填材、またはそれらの混合（しかしそれらに限定されない）などの複合材料のポリマーマトリックスをさらに強化するように作用する材料を意味する。補強材は、一般的に、ガラス、カーボン、またはアラミドを含むが、当業者にとって公知であるとして使用され得る種々の他の補強材料がある。これらは、合成または天然の繊維または繊維材料を含むが、それらに限定されず、たとえば、ポリエステル、ポリエチレン、石英、ホウ素、バソールト、セラミックス、および繊維質の植物材料（たとえばジュートおよびサイザル）などの天然の補強材であるが、それらに限定されない。
【００６４】
本発明の複合モジュールは、モジュール式ポールアセンブリにおいて積み重なるように構成されており、軽量構造を有利に提供する。この軽量構造は、木材または鋼のポールに関連した強度および耐久性と比較すると、より優れた強度および耐久性を示す。補強された複合モジュールは、鋼のように錆びることがなく、木材構造において一般的な微生物または昆虫による攻撃を被らない。さらに、補強された複合構造は、天然の製品（木材など）とは対照的に、一貫性および耐用年数が厳密に決定され予測されるように設計される。
【００６５】
複合モジュールは、フィラメントワインディングを使用して作られ得る。しかし、複合モジュールを生産するために、レジンインジェクション成形、レジントランスファー成形、およびハンドレイアップ形成アプリケーションなどの（しかしそれらに限定されない）他の方法が利用され得る。
【００６６】
代表的なフィラメントワインディングセットアップは、カナダ特許第２，４４４，３２４号およびカナダ特許第２，２７４，３２８号に記載されている（これらは参照により本明細書中に援用されている）。ガラス、カーボン、またはアラミドなどの（しかしそれらに限定されない）繊維補強材は、樹脂に含浸させられて、長い先細り状の心棒（ｍａｎｄｒｅｌ）の上に巻き付けられる。
【００６７】
樹脂に含浸させられた繊維材料は、一般的に、所定の順序で心棒の上に巻き付けられる。この順序は、心棒の軸に対して０度〜８７度の範囲の一連の角度で繊維の層を巻き付けることを伴う。繊維補強材が心棒の上に置かれる方向は、完成した複合モジュールの最終的な強度および剛性に影響し得る。製造されたモジュールの構造特性に影響し得る他の要因は、樹脂に対する繊維補強材の比率の大きさ、ラッピングの順序、壁の厚さおよび繊維補強材のタイプ（ガラス、カーボン、アラミドなど）、および樹脂のタイプ（ポリエステル、エポキシ、ビニルエステルなど）を変化させることを含む。モジュールの構造特性は、特定の性能基準を満たすように設計され得る。このようにして、積層構築は、きわめて強いモジュールを作るように構成され得る。所望の荷重たわみ特性が得られ得るように、モジュールの柔軟性も変化させられ得る。積層構築を調整することによって、圧縮座屈に対する耐性または点荷重に対する耐性などの特性が達成され得る。前者は、モジュールが高い圧縮荷重を経験するときの値である。後者は、高い程度の横積層強度を要求する点荷重およびストレス集中を及ぼすセクションに、重い機器がボルトで留められる荷重の場合に、モジュールが設計されるときに不可欠である。
【００６８】
本発明の一実施形態において、モジュールは、フィラメントを巻き付けたポリウレタン複合材料を含む。「フィラメントを巻き付けたポリウレタン複合材料」という用語によって、ポリウレタン樹脂または反応混合物に埋め込まれた繊維補強材を使用してフィラメント巻き付けによって作られた複合材料を意味する。ポリウレタン樹脂は、ポリオール成分およびポリイソシアネート成分を混合することによって作られる。他の混合剤としては、充填材、顔料、可塑剤、硬化触媒、紫外線安定剤、抗酸化剤、殺微生物剤、殺藻剤、脱水剤、チキソトロープ剤、湿潤剤、流れ調整剤、艶消剤、脱気剤、増量剤、湿度制御および所望の色のためのモレキュラーシーブ（ｍｏｌｅｃｕｌａｒ  ｓｉｅｖｅ）、紫外線吸収剤、光安定剤、難燃剤、および離型剤なども含まれる。
【００６９】
「ポリオール」という用語によって、処理の条件下においてポリイソシアネート成分に対して反応する複数の活性水素基を含む組成物を意味する。米国特許第６，４２０，４９３号（参照によって本明細書中に援用されている）に記載されているポリオールは、本明細書中に記載されているポリウレタン樹脂組成物において使用され得る。
【００７０】
「ポリイソシアネート」という用語によって、処理の条件下においてポリオール成分に対して反応する複数のイソシアネートまたはＮＣＯ基を含む組成物を意味する。米国特許第６，４２０，４９３号（参照によって本明細書中に援用されている）に記載されているポリイソシアネートは、本明細書中に記載されているポリウレタン樹脂組成物において使用され得る。
【００７１】
より詳細に上記に説明されたように、複合モジュールは補強材および液体樹脂から構築される。特定の方法で補強材を配置することによって、強度および剛性性能は、要求される値を出すように調整され得る。モジュールが構築される構成材料および構築を変化させることによって、構造の耐久性における大きな増加が得られ得る。このことの代表的な例は、曲げ剛性を最大限にして、たわみを制限するために、高いレベルの単方向のフープ（ｈｏｏｐ）補強材を用いたスタックでトップモジュールを作ることである。下方のモジュールは、大きな曲げモーメントおよび圧縮座屈の影響に対抗するために、より軸外の（ｏｆｆ  ａｘｉｓ）フープ補強材およびより大きな壁の厚さを利用し得る。この例において、基礎のモジュール（ｆｏｕｎｄａｔｉｏｎ  ｍｏｄｕｌｅ）は、構築および壁の厚さのみならず、耐久性を最大限にするために使用される材料も変化する。ベースモジュール（ｂａｓｅ  ｍｏｄｕｌｅ）は、スタックに基礎を提供するために地面または岩に据え付けられ得、ベースモジュール自身は、早期劣化をもたらし得る一連の汚染物質および地下水条件にさらされる。この例において、ベース（基礎）モジュールのための補強材および樹脂系のタイプは、これらの条件下で寿命および耐久性を最大限にするように指定され得る。このアプローチは、非常に大きな柔軟性を与え、ポール状の構造が多数の環境に合うように指定されることを可能にする。
【００７２】
基本的な原理として、補強材および液体樹脂に用いられる材料の耐久性が高いほど、コストが高くなる。全部のスタックのためではなく、必要とされる場合（ベースモジュールなど）のみに高い耐久性および高いコストの材料を使用することによって、耐久性は、大きく向上するのみならず、コスト効率の良い態様で達成される。
【００７３】
耐久性および耐用年数を向上させるさらなる実施形態は、脂肪族ポリウレタン複合材料のトップコート（ｔｏｐ  ｃｏａｔ）をモジュールに加えることである。このことは、風化作用、紫外線、すりへりに対してきわめて耐性のある丈夫な外部表面を提供し、美観および識別のために色づけされることを可能にする。
【００７４】
図１は、ポールを形成するために一緒に積み重ねられた一連のモジュールを示す。モジュール１〜５は、１５フィートにプラスして重複する長さのゆとりがある。したがって、モジュール１およびモジュール２を結合すると、３０フィートのポールになる。モジュール１、モジュール２およびモジュール３を結合すると、４５フィートのポールになる。連続する各モジュールが追加されるごとに、ポールは１５フィートの間隔で高さが増加し得る。
【００７５】
スタックがモジュール１で始まらない場合には、結果として得られる長さは、重複の追加の長さを含む。たとえば、モジュール２、３および４は、４５フィートに、モジュール２の先端における追加の重複した長さをプラスした長さであり得るポール状構造になり得る。望まれる場合には、追加の長さは単に切り落とされ得るので、ポールは高さまたは許容の要件を満たす。
【００７６】
より詳細に上記に説明されたように、電柱は、高さのみならず、荷重条件下における性能によっても分類される。荷重条件は多数あるが、一般的に、曲げ荷重（電力線が単に直線にかけられる場合）または曲げおよび圧縮荷重に帰結し、それは電力線が方向を変えたり終結したりする地点においてダウンガイ（ｄｏｗｎ  ｇｕｙ）がポールに取り付けられるときに、一般的である。荷重条件を満たすために、ポールは、曲げ荷重の下で最小限の強度を達成しなければならず、多くの場合、指定された作用荷重の下で指定されたたわみを超えてはならない。このことは、伝導体の過剰な運動を防止し、圧縮荷重の下で垂直座屈に対する耐性を最大限にするためである。
【００７７】
各モジュールは、個々のモジュールとしておよび積み重ねられたモジュールの集合の一部としての両方で、所定の強度および剛性の基準を満足するように設計され得る。細長いモジュール式ポール構造が電柱である実施形態において、強度および剛性の基準は、表１に示されるような木製ポールの強度分類に従うように設計され得る。このようにして、モジュールは一緒に積み重ねられることによって正確な長さのポールを形成し、このスタックは、強度または剛性または両方の要件が満たされるまで、モジュールのシーケンスの上下に移動させられる。このようにして、一連のモジュールは、異なる強度性能を有する多くの異なる長さのポールを構成する可能性を有する。
【００７８】
図１は、どのようにして７つのモジュールから一連の３０フィートのポール状構造が組み立てられ得るかを示す。７つのモジュールは、図６に個々に示される。この実施形態において、モジュールは、グループに積み重ねられたときに、表１に詳述されるような木製ポールのための強度要件に対応するように設計されている。７つのモジュールがあり、そのうちの５つは、上に向かう（ａｓｃｅｎｄｉｎｇ）モジュールに接続する重複するスリップジョイントを可能にするための量が１５フィートにプラスされている。木製ポールの強度は、表１に示されるようにクラス別に詳述されている。ポールがこれに従うためには、ポールは長さの要件を満たさなければならず、指定された荷重に等しい荷重に耐えることもできなければならない。指定された荷重は、一般的に先端から２フィート（０．６メートル）に加えられる。ポールは、基礎距離（ｆｏｕｎｄａｔｉｏｎ  ｄｉｓｔａｎｃｅ）にわたって制限され、基礎距離は一般的にポールの長さの１０％に２フィートをプラスしたものである。積み重ねモジュール１および２は、表１に詳述されるようなクラス３または４に従う３０フィートのポール状構造になることが、図１から理解され得る。
【００７９】
クラスの等級を満たすために、ポールは、基礎距離と作用点との間の長さにわたって作用するクラス荷重が十分に作用する間に破損に耐えなければならない。図１に示される例において、モジュール１および２が、指定される態様で３，０００ポンドの荷重に耐える場合には、３０フィートのクラス３の木製ポールと同等として分類され得る。モジュール１および２は、積み重ねられたときに、３０フィートのクラス３またはクラス４の木製ポールに従う性能を有することが、図１から理解され得る。二重分類の理由は、荷重下でのたわみに起因する。多くの場合、電力会社は、指定された高さおよび強度のポールを要求するが、荷重下での最大の許容可能なたわみをも指定することがある。この最大のたわみは、しばしば木材のたわみに関連する。このことは、電力線が方向を変えたり終結したりする特定の場合において関連する。この場合には、たわみは重要であり得る。
【００８０】
図１の例において、モジュール１および２は、３，０００ポンドのクラス荷重（クラス３の荷重）に耐えるポール状構造を形成するように積み重ねられ得る。しかし、クラス３の荷重下において、たわみは、木材によって通常示されるたわみよりも大きい。したがって、たわみが重要である場合には、モジュールの組み合わせは、強度およびたわみについて、クラス４の荷重（２，４００ポンド）に適合する。この実際的な値は、モジュール１および２がタンジェントポール（ｔａｎｇｅｎｔ  ｐｏｌｅ）（電力線が一般的に比較的平坦な土地にわたって直線に走る場合）としてクラス３の荷重条件において使用され得るものである。たわみがより関連性があるときに終結または方向が変化する場合において、モジュール１および２は、クラス４の構造を満たすように使用され得る。
【００８１】
図１における例がモジュール２および３に拡張される場合には、これらが積み重ねられ得ることによって、同じ理由で、クラス１または２のクラス荷重が可能な３０フィートのポール状構造をもたらす。図１〜５に含まれるすべての他の例は、同じ方法を使用する。
【００８２】
図７を参照して、上に向かうモジュールが、下に向かう（ｄｅｓｃｅｎｄｉｎｇ）モジュールの中にフィットするように、モジュールの先細りが設計されている。言い換えると、より大きなモジュールの内部寸法は、より大きなモジュールの中に入れ子になることができるより小さなモジュールの外部寸法よりも大きい。このことは、小型と省スペースのために、モジュールの取り扱いおよび輸送の際にたいへんな利点を提供する。モジュールが複合材料からなる実施形態において、木材、鋼、またはコンクリートと比較したときに、重量も非常に低減される。モジュールは小さなスタックの中に一緒に入れ子にされ得る。たとえば、モジュール１、２および３は、一緒に入れ子にされ得、組み立てられると図２に示される強度特性を有する４５フィートのポール状構造を形成する。同様に、モジュール２、３および４は、輸送のために一緒に入れ子にされ得る。これが組み立てられると、図２に示される、より高い強度特性を有する４５フィートのポール状構造を形成する。明らかに、９０フィートのクラス２のポールを形成するために一緒に積み重ねられることが必要とされるモジュールは、さらに分割され得ることによって他の構築を形成する。９０フィートのクラス２の例において、５つのモジュールが必要とされる（モジュール２、３、４、５、および６）。モジュールのこのセットから、さらなる構造が組み立てられ得る。たとえば、モジュール２、３、および４は、積み重ねられ得ることによって４５フィートのクラス１または２のポールを形成する。モジュール３、４、および５は、積み重ねられ得ることによって、４５フィートのクラスＨ１またはＨ２のポールを形成する（図２を参照）。モジュール５および６は、積み重ねられ得ることによって、４５フィートのクラスＨ３またはＨ４のポールを形成する。同様に、モジュール２、３、４、および５は、組み立てられ得ることによって、クラス１または２に対応する強度能力を有する６０フィートのポール状構造を形成する。モジュール４、５および６もまた、組み立てられ得ることによって、Ｈ１またはＨ２クラスに対応する強度能力を有する６０フィートのポール状構造になる。これらは図３に示される。同様に、モジュール３、４、５、および６は、積み重ねられ得ることによって、クラス１またはＨ１に対応する強度能力を有する７５フィートのポール状構造を形成する。
【００８３】
本質的に、７つのモジュールのスタックは、多くの方法で組み立てられる性能を有する。わずか７つのモジュールのこの実施形態において、３０〜９０フィートの高さで、種々の強度特性および剛性特性を示す、１９のバリエーションのポール状構造が組み立てられ得る。この実施形態は、１５フィート〜３０フィートのモジュールから構築される説明目的のために３０フィート〜９０フィートの構造を使用したことが強調されなければならない。システムは、最小３０フィート、または実際に最大９０フィート、または７つのモジュールに限定されない。モジュールのサイズもまた、説明目的のために示されたものに限定されない。完全なシステムは、部分または全体のいずれかにおいて、柔軟性および組み立ての容易性を可能にする。
【００８４】
完全なシステムは、部分または全体のいずれかにおいて、輸送の容易性のためにそれ自身の内部に入れ子になる。図７は、輸送の準備ができた、入れ子にされたモジュール式システムを示す。
【００８５】
図８を参照すると、トップキャップ６０は、一番上または先端のモジュールのトップ端部５４を覆うように配置され、それによってゴミまたは水分が上から入ることを防止する。ボトムプラグまたは支持部材６２は、一番下またはベースのモジュールのボトム端部５２の中に配置され得、それによってゴミまたは水分が下から入ることを防止する。ボトムプラグまたは支持部材を追加することから得られる１つの大きな利点は、基礎の安定性を向上させ、中空のポール状構造が圧縮荷重の下で地面に押し下げられることを防止することである。プラグまたは支持部材６２は、開口部または穴６４を有し得、それを通してモジュール式ポール構造の内部から水分を排出することを可能にする。
【００８６】
この特許文書において「含む（ｃｏｍｐｒｉｓｉｎｇ）」という言葉は、限定しない意味において使用され、その言葉に続く項目が含まれるが、特に述べられていない項目が除外されないということを意味する。不定冠詞「ａ」による要素の参照は、唯一つの要素があることを文脈が明らかに要求しない限りは、その要素が２つ以上存在する可能性を除外しない。
【００８７】
本発明は、１つ以上の実施形態によって説明された。しかし、特許請求の範囲において定義される本発明の精神および範囲から逸脱することなく、説明された実施形態に変更がなされ得ることが当業者にとって明らかである。
【００８８】
すべての引用は、参照によって本明細書に援用されている。
【図面の簡単な説明】
【００８９】
【図１】図１は、本発明のモジュールポールアセンブリの実施形態の例の断面についての側面図であり、異なる強度および剛性の３０フィートの範囲のポールを構築するように一連のモジュールが使用される。
【図２】図２は、本発明のモジュールポールアセンブリの実施形態の例の断面についての側面図であり、異なる強度および剛性の４５フィートの範囲のポールを構築するように一連のモジュールが使用される。
【図３】図３は、本発明のモジュールポールアセンブリの実施形態の例の断面についての側面図であり、異なる強度および剛性の６０フィートの範囲のポールを構築するように一連のモジュールが使用される。
【図４】図４は、本発明のモジュールポールアセンブリの実施形態の例の断面についての側面図であり、異なる強度および剛性の７５フィートの範囲のポールを構築するように一連のモジュールが使用される。
【図５】図５は、本発明のモジュールポールアセンブリの実施形態の例の断面についての側面図であり、異なる強度および剛性の９０フィートの範囲のポールを構築するように一連のモジュールが使用される。
【図６】図６は、本発明のモジュールポールアセンブリを構成するモジュールの実施形態の例の断面についての側面図であり、７つの異なるサイズのモジュールを示す。
【図７】図７は、本発明のモジュールポールアセンブリを構成するモジュールの実施形態の例の断面についての側面図であり、モジュールは輸送のために一緒に入れ子にされている。
【図８】図８は、本発明のモジュールポールアセンブリの実施形態の例の断面についての分解図であり、噛み合うトップキャップおよび噛み合うボトムプラグとともに、いくつかのモジュールが互いに積み重ねられている。
【図１】
2008530395.tif 000004
【図２】
2008530395.tif 000005
【図３】
2008530395.tif 000006
【図４】
2008530395.tif 000007
【図５】
2008530395.tif 000008
【図６】
2008530395.tif 000009
【図７】
2008530395.tif 000010
【図８】
2008530395.tif 000011
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
モジュール式ポールを構築するための方法であって、
２つまたは３つ以上の中空の先細りのポールセクションモジュールを提供するステップであって、各モジュールは第１の開いた端部と、対向する第２の開いた端部とを有し、該第２の端部の断面積は該第１の断面積よりも小さく、各モジュールは樹脂に浸された繊維補強材のフィラメントワインディングによって作られた複合材料からなる、ステップと、
第１のモジュールの該第２の端部を第２のモジュールの該第１の端部に噛み合わせることによって、選択された長さの細長いモジュール式ポール構造を形成するように、該２つまたは３つ以上のモジュールを積み重ねるステップと
を包含し、
該第１および第２のモジュールは、
（ａ）該樹脂に浸された繊維補強材のワインディングの角度と、
（ｂ）該樹脂に対する該繊維補強材の割合と、
（ｃ）該樹脂に浸された繊維補強材のラッピング順序と、
（ｄ）該複合材料における該樹脂に浸された繊維補強材の層の数および厚さと、
（ｅ）該繊維補強材の組成と、
（ｆ）該樹脂の組成と、
（ｇ）該樹脂における混合剤の組成と、
（ｈ）それらの混合と
からなるグループから選択されるフィラメントワインディングされた複合材料のうちの１つまたは２つ以上の特性を変化させる結果として、異なる構造特性を有する、方法。
【請求項２】
前記異なる構造特性は、曲げ強度、圧縮強度、座屈への耐性、剪断強度、外殻耐久性、およびそれらの混合からなるグループから選択される、請求項１に記載の方法。
【請求項３】
前記提供するステップにおいて、前記第２のモジュールの少なくとも一部分が前記第１のモジュールの中に入れ子になるように、該第１のモジュールは、該第２のモジュールの外部寸法よりも大きな内部寸法を有する、請求項１に記載の方法。
【請求項４】
前記第１のモジュールは、前記第２のモジュールよりも大きな圧縮強度を有する、請求項３に記載の方法。
【請求項５】
前記提供するステップにおいて、前記２つまたは３つ以上の先細り状のポールセクションモジュールは、断面が管状である、請求項１に記載の方法。
【請求項６】
前記積み重ねるステップの後に、前記細長いモジュール式ポール構造の一方または両方の端部にキャップを配置するさらなるステップがある、請求項１に記載の方法。
【請求項７】
前記細長いモジュール式ポール構造は、ベースモジュールと、先端モジュールと、それらの間にオプションとして１つまたは２つ以上のモジュールとを有する直立構造であり、該ベースモジュールの前記第１の端部は表面に隣接し、前記方法は、該細長いモジュール式ポール構造の重量を該表面で支持して分散するために、該ベースモジュールの該第１の端部に支持部材を配置することをさらに包含する、請求項１に記載の方法。
【請求項８】
前記支持部材は、それを通る開口部を有する、請求項７に記載の方法。
【請求項９】
前記複合材料は、ポリウレタン複合材料を含む、請求項１に記載の方法。
【請求項１０】
請求項１に記載される方法に従って構築されるモジュール式ポールアセンブリ。
【請求項１１】
前記第１および第２のモジュールは、脂肪族プロウレタン複合材料トップコートを含む、請求項１に記載の方法。
【請求項１２】
噛み合わされた中空の先細り状のモジュールのアセンブリを含む細長いモジュール式ポール構造であって、各モジュールは第１の端部と、対向する第２の端部とを有し、該第２の端部の断面積は該第１の端部の断面積よりも小さく、各モジュールは樹脂に浸された繊維補強材のフィラメントワインディングによって作られた複合材料からなり、それによって第１のモジュールの該第２の端部は第２のモジュールの該第１の端部と噛み合わされ、該第１および第２のモジュールは、
（ａ）該樹脂に浸された繊維補強材のワインディングの角度と、
（ｂ）該樹脂に対する該繊維補強材の割合と、
（ｃ）該樹脂に浸された繊維補強材のラッピング順序と、
（ｄ）該複合材料における該樹脂に浸された繊維補強材の層の数および厚さと、
（ｅ）該繊維補強材の組成と、
（ｆ）該樹脂の組成と、
（ｇ）該樹脂における混合剤の組成と、
（ｈ）それらの混合と
からなるグループから選択されるフィラメントワインディングされた複合材料のうちの１つまたは２つ以上の特性を変化させる結果として、異なる構造特性を有する、モジュール式ポール構造。
【請求項１３】
前記異なる構造特性は、曲げ強度、圧縮強度、座屈への耐性、剪断強度、外殻耐久性、およびそれらの混合からなるグループから選択される、請求項１２に記載の組み立てられたモジュールの構造。
【請求項１４】
前記伸びたモジュール式ポール構造の一方または両方の端部に配置されるキャップを含む、請求項１２に記載の組み立てられたモジュールの構造。
【請求項１５】
前記伸びたモジュール式ポール構造は、直立構造であり、ベースモジュールと、先端モジュールと、それらの間にオプションとして１つまたは２つ以上のモジュールとを有し、それによって該ベースモジュールの前記第１の端部は表面に隣接し、該細長いモジュール式ポール構造の重量を該表面で支持して分散するために、該ベースモジュールの該第１の端部に支持部材が配置される、請求項１２に記載の組み立てられたモジュールの構造。
【請求項１６】
前記支持部材は、それを通る開口部を有する、請求項１５に記載の組み立てられたモジュールの構造。
【請求項１７】
前記複合材料は、ポリウレタン複合材料を含む、請求項１２に記載の組み立てられたモジュールの構造。
【請求項１８】
前記第１および第２のモジュールは、管状である、請求項１２に記載の組み立てられたモジュールの構造。
【請求項１９】
前記第１および第２のモジュールは、脂肪族プロウレタン複合材料トップコートを含む、請求項１２に記載の組み立てられたモジュールの構造。
【請求項２０】
細長いモジュール式ポール構造の構築に使用される、少なくとも第１および第２の中空の先細り状のモジュールを備えたキットであって、各モジュールは第１の端部と、対向する第２の端部とを有し、該第２の端部の断面積は該第１の端部の断面積よりも小さく、各モジュールは樹脂に浸された繊維補強材のフィラメントワインディングによって作られ、該第１のモジュールの該第２の端部は該第２のモジュールの該第１の端部に噛み合うように構成され、該第２のモジュールの少なくとも一部分が該第１のモジュールの中に入れ子になるように、該第１のモジュールは該第２のモジュールの外部寸法よりも大きな内部寸法を有し、該第１および第２のモジュールは、
（ａ）該樹脂に浸された繊維補強材のワインディングの角度と、
（ｂ）該樹脂に対する該繊維補強材の割合と、
（ｃ）該樹脂に浸された繊維補強材のラッピング順序と、
（ｄ）該複合材料における該樹脂に浸された繊維補強材の層の数および厚さと、
（ｅ）該繊維補強材の組成と、
（ｆ）該樹脂の組成と、
（ｇ）該樹脂における混合剤の組成と、
（ｈ）それらの混合と
からなるグループから選択されるフィラメントワインディングされた複合材料のうちの１つまたは２つ以上の特性を変化させる結果として、異なる構造特性を有する、キット。
【請求項２１】
前記第１および第２のモジュールは、曲げ強度、圧縮強度、座屈への耐性、剪断強度、外殻耐久性、およびそれらの混合からなるグループから選択される異なる構造特性を有する、請求項２０に記載のキット。
【請求項２２】
前記第１のモジュールは、前記第２のモジュールよりも大きな圧縮強度を有する、請求項２０に記載のキット。
【請求項２３】
前記第１および第２のモジュールは、管状である、請求項２０に記載のキット。
【請求項２４】
前記第１または第２のモジュールの前記第１または第２の端部に噛み合うように構成されたキャップを含む、請求項２０に記載のキット。
【請求項２５】
前記第１のモジュールの前記第１の端部に噛み合うように構成された支持部材を含む、請求項２０に記載のキット。
【請求項２６】
前記支持部材は、それを通る開口部を有する、請求項２５に記載のキット。
【請求項２７】
前記複合材料は、ポリウレタン複合材料を含む、請求項２０に記載のキット。
【請求項２８】
前記第１および第２のモジュールは、脂肪族プロウレタン複合材料トップコートを含む、請求項２０に記載のキット。
【請求項２９】
細長いモジュール式ポール構造を構築するために使用される、中空の先細り状のモジュールであって、該モジュールは、フィラメントワインディングされたポリウレタン複合材料を含み、第１の端部と、対向する第２の端部とを有し、該第２の端部の断面積は該第１の端部の断面積よりも小さい、中空の先細り状のモジュール。
【請求項３０】
前記モジュールは、脂肪族プロウレタン複合材料トップコートを含む、請求項２９に記載の中空の先細り状のモジュール。
【請求項３１】
細長いモジュール式ポール構造を組み立てるシステムであって、該システムは、樹脂に浸された繊維補強材のフィラメントワインディングによって作られた繊維補強された複合物を含む、中空の先細り状の管状のポールセクションモジュールを備え、該モジュールは、開いたボトム端部と比較的狭いトップ端部とを有し、上にあるモジュールの該ボトム端部を下にあるモジュールの該トップ端部に噛み合わせることによって、選択された高さの垂直構造を形成するように積み重ねられ、モジュールの一部は、曲げ強度、圧縮強度、または剪断強度のうちの少なくとも１つに関連する異なる特性を有し、異なる特性を有するモジュールを選択的に組み合わせることによって、曲げ強度、圧縮強度、および剪断強度の所望の特性を有するポールを構築することができるように、該異なる構造特性は、
（ａ）該樹脂に浸された繊維補強材のワインディングの角度と、
（ｂ）該樹脂に対する該繊維補強材の割合と、
（ｃ）該樹脂に浸された繊維補強材のラッピング順序と、
（ｄ）該複合材料における該樹脂に浸された繊維補強材の層の数および厚さと、
（ｅ）該繊維補強材の組成と、
（ｆ）該樹脂の組成と、
（ｇ）該樹脂における混合剤の組成と、
（ｈ）それらの混合と
からなるグループから選択されるフィラメントワインディングされた複合材料のうちの１つまたは２つ以上の特性を変化させる結果生じる、システム。
【国際調査報告】
2008530395.tif 000012
2008530395.tif 000013
2008530395.tif 000014